(57)【要約】【課題】無線タグを利用して設備管理を行う際，設備に係る情報を記憶させたネットワーク上の装置をオンラインで利用できるようにする。【解決手段】設備管理システム１は，設備管理の対象となる設備４と，設備４または設備４の近傍に取り付けた無線タグ２と，無線タグ２のリーダライタ機能を備えた携帯端末３と，設備４に係る情報を記憶した設備管理装置５を含む。携帯端末３は，設備４に係る情報を記憶させた装置となる設備管理装置５をオンラインで利用できるために，無線タグ２から読み出した設備識別子を含む処理要求を設備管理装置５へ送信し，設備管理装置５は，携帯端末３から送信された処理要求に含まれる設備識別子を用いて特定される設備管理処理を実行する。【選択図】図１
2017191962.tif 000002
【特許請求の範囲】
【請求項１】
設備管理の対象となる設備の設備識別子を記憶した無線タグと，前記無線タグから前記設備識別子を近距離無線通信により読み出すリーダライタ機能を備えた携帯端末と，ネットワークを介して前記携帯端末と接続している設備管理装置とから少なくとも構成され，
前記携帯端末は，前記無線タグから読み出した前記設備識別子を含む処理要求を前記設備管理装置へ送信する端末制御部を備え，
前記設備管理装置は，前記設備管理装置が実行する処理を示す処理識別子と，前記処理識別子で示される処理で用いるデータを含む設備管理データを，前記無線タグが記憶している前記設備識別子に関連づけて記憶しているデータベースと，前記携帯端末から前記処理要求が送信されると，前記携帯端末から受信した前記処理要求に含まれる前記設備識別子に関連付けられた前記設備管理データを前記データベースから検索し，検索した前記設備管理データに含まれる前記処理識別子で示される処理を実行する設備管理部を備え,
ていることを特徴とする設備管理システム。
【請求項２】
前記設備管理装置の前記データベースに記憶する前記設備管理データに，前記設備の保守に係るデータを送信する処理を示す前記処理識別子と，前記設備の保守に係る項目毎のデータを列挙した保守管理データを含ませ，
前記設備管理装置の前記設備管理部は，前記処理識別子で示される処理として，前記データベースから検索した前記設備管理データに含まれる前記保守管理データを前記携帯端末へ送信する処理を行い，
前記携帯端末の前記端末制御部は，前記設備管理装置から前記保守管理データを受信すると，前記設備管理装置から受信した前記保守管理データをディスプレイに表示する処理を行う，
ことを特徴とする，請求項１に記載した設備管理システム。
【請求項３】
前記設備管理装置の前記データベースに記憶する前記設備管理データに，前記設備を遠隔操作する処理を示す前記処理識別子と，前記設備に送信する遠隔操作コマンドを含ませ，
前記設備管理装置の前記設備管理部は，前記処理識別子で示される処理として，前記データベースから検索した前記設備管理データに含まれる前記遠隔操作コマンドを，前記設備識別子を読み出した前記無線タグに対応する前記設備へ送信する処理を行い，
前記設備は，前記設備管理装置から前記遠隔操作コマンドを受信すると，前記設備管理装置から受信した前記遠隔操作コマンドに対応する機能を起動する，
ことを特徴とする，請求項１に記載した設備管理システム。
【発明の詳細な説明】
【技術分野】
【０００１】
本発明は，無線タグを利用して設備を管理する技術に関する。
【背景技術】
【０００２】
ＲＦＩＤ（RFID: Radio Frequency IDentification）システムを設備管理に利用する提案がなされている。例えば，特許文献１では，管理対象となる設備の識別に用いる設備識別子（設備管理番号）を無線タグに記憶させ，リーダライタの機能を備えた携帯端末が，無線タグから設備識別子を読み出し，無線タグから読み出した設備識別子に対応する設備管理データを表示する発明が開示されている。
【０００３】
上述した発明を構成する装置は，設備識別子を記憶した無線タグと，無線タグが記憶した設備管識別を読出す携帯端末になるが，近年では，品質管理やセキュリティ管理を目的として，設備に係る情報を記憶させた装置をネットワーク上に配置することが増えているため，上述の装置をオンラインで利用できるように構成することが望まれる。
【先行技術文献】
【特許文献】
【０００４】
【特許文献１】特開２００９−３７４４０号公報
【発明の概要】
【発明が解決しようとする課題】
【０００５】
そこで，本発明は，設備を識別する情報を記憶した無線タグを利用して設備管理を行う際，設備に係る情報を記憶させたネットワーク上の装置をオンラインで利用できるようにすることを目的とする。
【課題を解決するための手段】
【０００６】
上述した課題を解決する第１の発明は，設備管理の対象となる設備の設備識別子を記憶した無線タグと，前記無線タグから前記設備識別子を近距離無線通信により読み出すリーダライタ機能を備えた携帯端末と，ネットワークを介して前記携帯端末と接続している設備管理装置とから少なくとも構成され，前記携帯端末は，前記無線タグから読み出した前記設備識別子を含む処理要求を前記設備管理装置へ送信する端末制御部を備え，前記設備管理装置は，前記設備管理装置が実行する処理を示す処理識別子と，前記処理識別子で示される処理で用いるデータを含む設備管理データを，前記無線タグが記憶している前記設備識別子に関連づけて記憶しているデータベースと，前記携帯端末から前記処理要求が送信されると，前記携帯端末から受信した前記処理要求に含まれる前記設備識別子に関連付けられた前記設備管理データを前記データベースから検索し，検索した前記設備管理データに含まれる前記処理識別子で示される処理を実行する設備管理部を備えていることを特徴とする設備管理システムである。
【０００７】
更に，第２の発明は，第１の発明に記載した設備管理システムにおいて，前記設備管理装置の前記データベースに記憶する前記設備管理データに，前記設備の保守に係るデータを送信する処理を示す前記処理識別子と，前記設備の保守に係る項目毎のデータを列挙した保守管理データを含ませ，前記設備管理装置の前記設備管理部は，前記処理識別子で示される処理として，前記データベースから検索した前記設備管理データに含まれる前記保守管理データを前記携帯端末へ送信する処理を行い，前記携帯端末の前記端末制御部は，前記設備管理装置から前記保守管理データを受信すると，前記設備管理装置から受信した前記保守管理データをディスプレイに表示する処理を行うことを特徴とする。
【０００８】
第３の発明は，第１の発明に記載した設備管理システムにおいて，前記設備管理装置の前記データベースに記憶する前記設備管理データに，前記設備を遠隔操作する処理を示す前記処理識別子と，前記設備に送信する遠隔操作コマンドを含ませ，前記設備管理装置の前記設備管理部は，前記処理識別子で示される処理として，前記データベースから検索した前記設備管理データに含まれる前記遠隔操作コマンドを，前記設備識別子を読み出した前記無線タグに対応する前記設備へ送信する処理を行い，前記設備は，前記設備管理装置から前記遠隔操作コマンドを受信すると，前記設備管理装置から受信した前記遠隔操作コマンドに対応する機能を起動することを特徴とする。
【発明の効果】
【０００９】
上述した本発明によれば，携帯端末が，無線タグから読み出した設備識別子を含む処理要求を設備管理装置へ送信し，設備管理装置が，携帯端末から受信した処理要求に含まれる設備識別子で示される処理を実行することで，設備を識別する情報を記憶した無線タグを利用して設備管理を行う際，設備に係る情報を記憶させたネットワーク上の装置をオンラインで利用できる。
【図面の簡単な説明】
【００１０】
【図１】本実施形態に係る設備管理システムを説明する図。
【図２】携帯端末のブロック図。
【図３】設備のブロック図。
【図４】設備管理装置のブロック図。
【図５】設備管理装置が備える設備管理ＤＢを説明する図。
【図６】本実施形態に係る設備管理システムの基本的動作を説明する図。
【発明を実施するための形態】
【００１１】
ここから，本発明の好適な実施形態を記載する。なお，以下の記載は本発明の範囲を束縛するものでなく，理解を助けるために記述するものである。
【００１２】
図１は，本実施形態に係る設備管理システム１を説明する図である。図１で図示した設備管理システム１は，無線タグ２を利用して設備４を管理するためのシステムで，設備管理の対象となる設備４と，設備４または設備４の近傍に取り付けた無線タグ２と，無線タグ２のリーダライタ機能を備えた携帯端末３と，設備４に係る情報を記憶した設備管理装置５を含む。図１において，無線タグ２と携帯端末３は近距離無線通信し，設備４および携帯端末３は，無線アクセスポイント６ａを介してネットワーク６に接続し，無線アクセスポイント６ａが接続しているネットワーク６には設備管理装置５が接続している。
【００１３】
まず，本実施形態に係る設備管理システム１を構成する無線タグ２について説明する。無線タグ２は，近距離無線通信を利用した個体識別に用いられているデバイスである。無線タグ２としては一般的なものを利用できるためここでは詳細な説明を省くが，無線タグ２は，無線タグ２を利用して設備管理する設備４の個体識別に用いる設備識別子を記憶し，近距離無線通信により設備識別子を読み出すコマンドを受信すると，近距離無線通信により設備識別子を発信する動作を行う。なお，一般的に，近距離無線通信とは，通信距離が数ｃｍから数ｍ程度での無線通信を意味するが，本実施形態では，所望する無線タグ２の設備識別子のみをユーザが読み取れるように，通信距離が１０ｃｍの近距離無線通信を用いている。なお，無線タグ２の表面には，無線タグ２を用いて管理する設備４の名称や設備識別子が印刷されている。
【００１４】
次に，本実施形態に係る設備管理システム１を構成する携帯端末３について説明する。本実施形態に係る携帯端末３は，設備４に係る情報を記憶させた装置となる設備管理装置５をオンラインで利用できるために，無線タグ２から読み出した設備識別子を含む処理要求を設備管理装置５へ送信する機能を有する。
【００１５】
図２は，携帯端末３のブロック図である。図２でしたように，携帯端末３は，近距離無線通信を用いて無線タグ２から設備識別子を読み出すリーダライタ部３１と，ネットワーク６を介してデータ通信するネットワーク通信部３３と，表示デバイスおよび操作デバイスとして機能するタッチパネル部３２と，携帯端末３の動作を制御する端末制御部３０を備える。
【００１６】
携帯端末３のリーダライタ部３１は，近距離無線通信用のアンテナと，近距離無線通信用の通信回路を利用して実現され，携帯端末３のリーダライタ部３１は，設備識別子を読み取るコマンドを発信し，無線タグ２から受信した設備識別子を端末制御部３０へ引き渡す処理を行う。
【００１７】
本実施形態では，携帯端末３は無線アクセスポイント６ａを利用してネットワーク通信するため，携帯端末３が備えるネットワーク通信部３３は，無線ＬＡＮ通信用の通信回路を利用して実現されている。なお，携帯端末３が備えるネットワーク通信部３３は，移動体通信を行うための通信回路でもよい。
【００１８】
携帯端末３のタッチパネル部３２は，表示デバイスとして機能する液晶ディスプレイと，操作デバイスとして機能するタッチデバイスが組み合わされ，指で操作できるように構成されたデバイスである。
【００１９】
次に，本実施形態に係る設備管理システム１を構成する設備４について説明する。図３は，設備４のブロック図である。本実施形態に係る設備４は，ネットワーク６を介してデータ通信するネットワーク通信部４１と，設備４の動作を制御する設備制御部４０を備える。なお，本実施形態では，設備４は無線アクセスポイント６ａを利用してネットワーク通信するため，設備４が備えるネットワーク通信部４１は，無線ＬＡＮ通信用の通信回路を利用して実現されている。
【００２０】
次に，本実施形態に係る設備管理システム１を構成する設備管理装置５について説明する。図４は，設備管理装置５のブロック図である。
【００２１】
設備管理装置５は，データベースが接続されたサーバを利用して実現される装置である。図４で図示したように，設備管理装置５は， ネットワーク６を介してデータ通信するネットワーク通信部５２と，設備管理に関するデータを設備４毎に記憶した設備管理ＤＢ（DB: DataBase）５１と，設備管理に係る処理である設備管理処理を実行する設備管理部５０を備える。
【００２２】
図５は，設備管理装置５が備える設備管理ＤＢ５１を説明する図である。設備管理装置５が備える設備管理ＤＢ５１には，無線タグ２が記憶している設備識別子に関連づけて，設備識別子で特定される設備４の設備管理データが記憶されている。設備識別子に関連づけられている設備管理データは，設備管理装置５が実行する設備管理処理を示す処理識別子と，処理識別子で示される設備管理処理で用いるデータを含む。
【００２３】
設備管理に係る処理である設備管理処理を，無線タグ２に対応する設備４の保守管理に係るデータを送信する処理にすることができる。この場合，設備管理データに含まれる処理識別子は，保守管理に係るデータを送信する処理を示す値になり，設備管理データに含まれるデータは，設備４の保守管理に係る項目毎（設備４の利用方法，保守点検予定日，保守点検履歴，設備４の仕様，設備名，設備型名，設備購入元，購入年月日等）のデータを列挙した保守管理データになる。また，設備管理に係る処理である設備管理処理を，無線タグ２に対応する設備４を遠隔操作する処理にすることもできる。この場合，設備管理データに含まれる処理識別子は，設備４を遠隔操作する処理を示す値になり，設備管理データに含まれるデータは，設備４に送信する遠隔操作コマンド，および，遠隔操作コマンドを送信する設備４のアドレスになる。
【００２４】
ここから，本実施形態に係る設備管理システム１の動作について説明することで，携帯端末３の端末制御部３０，設備管理装置５の設備管理部５０，および，設備４の設備制御部４０の動作について詳細に説明する。
【００２５】
図６は，本実施形態に係る設備管理システム１の基本的動作を説明する図である。携帯端末３を所持するユーザが，携帯端末３のリーダライタ部３１を作動せると，携帯端末３のリーダライタ部３１は，設備識別子を読み取るコマンドを発信し（Ｓ１），ユーザが，設備４または設備４の近傍に取り付けた無線タグ２に携帯端末３をかざすと，無線タグ２は，設備識別子を読み取るコマンドを受信し，無線タグ２が記憶している設備識別子を近距離無線通信で発信する（Ｓ２）。
【００２６】
携帯端末３のリーダライタ部３１は，無線タグ２が発信した設備識別子を受信すると，無線タグ２から受信した設備識別子を端末制御部３０へ引き渡し， 携帯端末３の端末制御部３０は，ネットワーク通信部３３を利用し，無線アクセスポイント６ａを経由させて，無線タグ２から読み出した設備識別子を含む処理要求を設備管理装置５へ送信する（Ｓ３）。なお，設備管理装置５へ送信する処理要求には，携帯端末３の個体識別に用いる端末識別子を含ませることができる。
【００２７】
設備管理装置５の設備管理部５０が，設備管理装置５のネットワーク通信部５２が処理要求を携帯端末３から受信すると，携帯端末３から受信した処理要求に含まれる設備識別子に関連付けられた設備管理データを設備管理ＤＢ５１から検索し（Ｓ４），検索した設備管理データに含まれる処理識別子に対応する処理を実行して（Ｓ５），この手順は終了する。なお，携帯端末３から受信した処理要求に端末識別子が含まれる場合，設備管理装置５は，設備管理装置５に予め登録されている端末識別子であるか確認するなどして，処理要求に含まれる端末識別子の正当性を検証し，この正当性の検証に成功したときのみ，Ｓ４以降の処理を実行する。
【００２８】
図６を用いて説明した設備管理システム１の基本的動作は，設備管理装置５が実行する設備管理処理の内容に基づいて変更になる。例えば，設備管理装置５が実行する設備管理処理が，無線タグ２に対応する設備４の保守管理に係るデータを送信する処理の場合，設備管理装置５の設備管理部５０は，設備管理ＤＢ５１から検索した設備管理データに含まれる保守管理データを，ネットワーク通信部５２を利用して携帯端末３へ送信し，携帯端末３の端末制御部３０は，携帯端末３のネットワーク通信部３３が保守管理データを設備管理装置５から受信すると，設備管理装置５から受信した保守管理データをタッチパネル部３２に表示する。
【００２９】
なお，携帯端末３が設備管理装置５へ送信する処理要求に，無線タグ２から読み出した設備識別子に加え，設備管理装置５に検索させる保守管理データの項目（例えば，検査履歴）を指定するデータを含ませることができる。この際，携帯端末３のタッチパネル部３２の操作により，保守管理データの項目を指定するデータが携帯端末３に入力されるように構成できる。また，設備管理装置５に検索させる保守管理データの項目を格納した無線タグ２を用意し，携帯端末３のリーダライタ部３１を用いて無線タグ２から保守管理データの項目を読み取ることで，設備管理装置５に検索させる保守管理データの項目が携帯端末３に入力されるように構成することもできる。なお，設備管理装置５の設備管理部５０は，設備管理装置５に検索させる保守管理データの項目を指定するデータが処理要求に含まれる場合，設備管理ＤＢ５１から検索した設備管理データに含まれる保守管理データの中から，指定された項目に係るデータのみを携帯端末３へ送信する。このように構成し，携帯端末３が設備管理装置５へ送信する処理要求に，保守管理データの項目として，保守点検の予定に係る項目（ここでは，保守点検予定日）を含ませれば，ユーザは，携帯端末３をかざした無線タグ２に対応する設備４の保守点検予定日を設備管理装置５から取得し，保守点検の実施日が設備４の保守点検予定日に合致しているか確認できる。
【００３０】
また，設備管理装置５が実行する設備管理処理が，無線タグ２に対応する設備４を遠隔操作する処理の場合，設備管理装置５の設備管理部は，設備管理ＤＢ５１から検索した設備管理データに含まれる遠隔操作コマンドを，ネットワーク通信部を利用して，設備管理データに含まれる設備４のアドレス宛てに送信し，遠隔操作コマンドを受信した設備４（ここでは，設備識別子が読み取られた無線タグ２に対応する設備４になる）の設備制御部４０は，遠隔操作コマンドに対応する機能（例えば，設備４がドアの場合，ドアの開錠または施錠）を起動させる。
【符号の説明】
【００３１】
１    設備管理システム
２    無線タグ
３    携帯端末
３０  端末制御部
３１  リーダライタ部
４    設備
４０  設備制御部
５    設備管理装置
５０  設備管理部
５１  設備管理データベース
６    ネットワーク
【図１】
2017191962.tif 000003
【図２】
2017191962.tif 000004
【図３】
2017191962.tif 000005
【図４】
2017191962.tif 000006
【図５】
2017191962.tif 000007
【図６】
2017191962.tif 000008